(57)【特許請求の範囲】
【請求項１】
複数の枠体と、
前記枠体に対して着脱自在な複数のジョイントと、
から構成され、
前記枠体は、断面形状が円形をした中空の管材によって構成され、人型を模すように前記ジョイントによって平面的に組み合わされ、
前記ジョイントは、前記枠体の径方向から外周面に沿って弾性的に変形する保持部を有し、当該保持部の圧入による前記枠体に対する保持および当該保持部の引き抜きによる前記枠体からの離脱が可能である、
ことを特徴とする衣服用ハンガー。
【請求項２】
前記枠体として、肩部を模った肩枠体と、前記肩枠体の下方に配される胴部を模った胴枠体と、前記肩枠体の下方であって、かつ、前記胴枠体の左右両側部に配される左右の各腕部を模った一対の腕枠体とを少なくとも含むことを特徴とする請求項１に記載の衣服用ハンガー。
【請求項３】
前記胴枠体は、ボトムスを吊り下げる挟持具を備えていることを特徴とする請求項２に記載の衣服用ハンガー。
【請求項４】
前記枠体として、前記胴枠体の下方左右に配される左右の各脚部を模った一対の脚枠体をさらに含むことを特徴とする請求項２又は３に記載の衣服用ハンガー。
【請求項５】
前記枠体として、前記肩枠体の上方に配される頭部を模った頭枠体がさらに含むことを特徴とする請求項２乃至４の何れか１項に記載の衣服用ハンガー。
【請求項６】
前記枠体は、伸縮可能な長さ調節手段を備えていることを特徴とする請求項２乃至５の何れか１項に記載の衣服用ハンガー。
【請求項７】
前記枠体は、枠内に起伏可能な立体化手段を備えていることを特徴とする請求項２乃至６の何れか１項に記載の衣服用ハンガー。
【請求項８】
前記ジョイントは、前後左右に可動自在であることを特徴とする請求項１乃至７の何れか１項に記載の衣服用ハンガー。
【請求項９】
前記枠体を吊り下げる支持装置をさらに備えることを特徴とする請求項１乃至８の何れか１項に記載の衣服用ハンガー。
【発明の詳細な説明】
【技術分野】
【０００１】
本願発明は、衣服用ハンガーに係り、詳しくは、自らがコーディネートした衣服や服飾品などを吊り下げて、その着こなしを効果的に確認することができるようにした衣服用ハンガーに関する。
【背景技術】
【０００２】
衣服用ハンガーは、衣服を吊り下げることで、小さく折り畳むことなく拡げた状態でクローゼット等へ収納することに用いられるほか、床等に放って置くことで型が崩れたり、皺になったり、汚れたりすることを防ぐことに用いられている。
【０００３】
また、衣服用ハンガーは、時間（季節）や場所、目的に応じて着ていく服装を選択する際に用いられることもある。特に、新しく買った衣服等は、すぐ衣服用ハンガーに吊り下げて収納してしまうより、自分が着た時の状態をイメージしてトータルコーディネートし、着るまでの時間や買った時のワクワク感をもっと楽しみたいものである。
【０００４】
ところが、服装を選ぶのは非常に難しく、コーディネートした状態を頭の中でイメージするだけでは分かりづらいことから、日々の服装がすんなりと決まることは少ない。そのため、衣服用ハンガーに吊り下げられた状態の衣服を自分の身体の前にあてがい、その着こなしを姿見に映して確認するようにしている。
【０００５】
しかしながら、姿見に映し出された衣服は薄っぺらで、実際に人が着用したときの立体感のあるデザインや着こなしを確認することができない。
このような場合、店舗にあるようなマネキン人形があると、立体的にデザインや着こなしを確認することができるが、立体的であるがゆえに嵩張り、部屋に置いておくには保管上のスペースを確保することが難しく邪魔になるおそれがある。しかも、マネキン人形を運搬するのは煩わしく、多くの労力や時間を要する。
【０００６】
一方、頭部、胴部、左右の腕部、左右の脚部等の各部分を構成する平面部材を組み合わせて人体の輪郭を模ったボディハンガーも知られている（たとえば、特許文献１乃至３を参照）。
このようなボディハンガーは、平面的であることから、保管において多くのスペースを要することはなく、狭い部屋でも邪魔になるおそれはない。また、運搬においても容易に行えるものと思われる。
【０００７】
しかしながら、ボディハンガーもまた、着せた衣服が薄っぺら状態になって実際に人が着用したときの立体感を出すことができず、その衣服のデザインの良さを十分発現させることができないものとなっている。それだけではなく、ボディハンガーは、各部材がピンやボルト等によって強固に連結されるものとなっており、各部材を連結するのに工具を用いる必要があって、その組み立て作業が煩わしいものである。しかも、これらのボディハンガーは、各部材同士が平面的にしか可能できないものであり、腕部材を通して衣服を着せる場合、その作業が非常に困難なものになっている。
【先行技術文献】
【特許文献】
【０００８】
【特許文献１】実開平４−１１５４６９号公報
【特許文献２】特開２０００−５０００号公報
【特許文献３】実用新案登録第３１６４７４６号公報
【発明の概要】
【発明が解決しようとする課題】
【０００９】
本発明は、上記事情に鑑みて成されたものであり、立体感のあるデザインや着こなしを確認することができると共に、工具を用いることなく簡易に組み立てることができ、しかも衣服の着せ替えが容易に行える衣服用ハンガーを提供することを目的とする。
【課題を解決するための手段】
【００１０】
本発明に係る衣服用ハンガーは、複数の枠体と、この枠体に対して着脱自在な複数のジョイントとから構成され、枠体は、人型を模すようにジョイントによって平面的に組み合わされていることを基本的な特徴とする。
【００１１】
枠体は、用いる材料に応じて、一体成形されたものでも良いし、曲折することで成形したもの、もしくは複数の部材を組み合わせて構成されたものでも良い。また、枠体は、ジョイントによる組み合わせの関係上、断面形状が円形をしたものが望ましく、たとえば、単一の棒状部材や中空の管材（以下、「中空管状部材」という。）を用いて任意形状の平面枠状体に成形したものや、複数の中空管状部材同士を複数組み合わせて構成したもの、もしくは、棒状部材と中空管状部材とを組み合わせて構成したものとすることができる。
【００１２】
ジョイントは、工具を用いることなく、枠体に対して径方向から差し込むことで装着することができる結合部材であって、組み合わせた枠体同士が前後左右に可動自在となるものが望ましい。
【００１３】
本発明の衣服用ハンガーにおいて枠体は、たとえば、肩部を模った肩枠体と、この肩枠体の下方に配される胴部を模った胴枠体と、肩枠体の下方であって、かつ、胴枠体の左右両側部に配される左右の各腕部を模った一対の腕枠体と、を少なくとも含む複数の各枠体によって構成されたものとすることができる。つまり、人の上半身を模した衣服用ハンガーとして構成することができる。
【００１４】
この際、胴枠体は、ボトムスを吊り下げることができる挟持具を備えているものとすると望ましい。
これにより、下半身を模した枠体が無くても、全身人型の衣服用ハンガーとすることができる。
【００１５】
また、本発明の衣服用ハンガーにおいて枠体には、胴枠体の下方左右に配される左右の各脚部を模った一対の脚枠体をさらに含むものや、肩枠体の上方に配される頭部を模った頭枠体がさらに含むものとしても良い。つまり、上半身を模した枠体に、下半身を模した枠体や頭部を模した枠体がさらに備わることで、全身人型の衣服用ハンガーとすることができる。
【００１６】
また、本発明の衣服用ハンガーにおいて枠体は、長手方向に伸縮可能な長さ調節手段を備えていると望ましい。この長さ調節手段としては、たとえば、枠体を構成する棒状部材や中空管状部材の端部同士を互いに入れ子状に組み合わせ、一方の部材が他方の部材に対して摺動する構成を有するものとすることができる。
【００１７】
これにより、枠体が平面方向に沿って拡張又は縮小可能なものとなることで、自分の体型に合わせて枠体の大きさを調整することができ、まるで自分が着ているようなリアリティのあるコーディネートを実現することができる。
【００１８】
また、本発明の衣服用ハンガーにおいて枠体は、枠内に起伏可能な立体化手段を備えていると望ましい。立体化手段としては、たとえば、枠体の内側領域に平面部材を配すると共に、平面部材が枠体の平面方向に対して９０°起伏する構成を有するものとすることができる。この際、平面部材は、枠体に対して回動するジョイントを用いて枠体に対して取り付けることができる。
【００１９】
これにより、平面部材が枠体の平面方向に対して略直交する向きに可動することで、実際に人が着用したときの立体感を得ることができ、より一層リアリティのあるコーディネートを実現することができる。
【００２０】
さらに、本発明の衣服用ハンガーは、枠体を吊り下げる支持装置をさらに備えるものとすると望ましい。ここでいう枠体は、ジョイントによって一体的に組み合わされた複数の枠体のことをいう。また、支持装置としては、たとえば、枠体を吊り下げる支柱と、この支柱を起立状態に支持する土台と、支柱の上端に設けられたフックとから構成されたものとすることができる。つまり、従来の衣服用ハンガーのように、枠体の最上位に吊り下げ用のフックを設けるようにしても良いが、これだと吊り下げ場所が限定されたものとなってしまう。
【００２１】
ゆえに、枠体を吊り下げる支持装置を備えることで、たとえば、枠体の中で上位に配される肩枠体を支柱の上端に設けたフックに掛けることで、吊り下げ場所が制限されることなく、任意の場所に支持装置を移動して枠体を吊り下げることができる。しかも、枠体自体にフックを設ける必要がないので、フックが衣服に引っ掛かって衣服を傷めてしまうおそれのないものとすることができる。なお、支持装置における土台の下面には、支持装置の移動を円滑にさせるキャスターを設けるようにしても良い。
【発明の効果】
【００２２】
本発明に係る衣服用ハンガーは、複数の枠体が複数のジョイントによって着脱自在に組み合わされるものとなっているので、工具を用いることなく簡易に枠体を平面的に組み合わせることができる。
ゆえに、本衣服用ハンガーを用いることで、自らコーディネートした衣服を頭の中でイメージすることなく、頭から足元までトータルコーディネートした状態を、まるで自分が着ているようなリアリティ感をもって確認することができる。また、明日着る服を事前に決めて、その一式を本衣服用ハンガーに掛けておくことで、朝の準備をスムーズに行うこともできる。
【００２３】
しかも、本発明に係る衣服用ハンガーは、枠体同士は着脱自在なジョイントを介して組み合わされているので、一度組み上げても、枠体同士の分離が容易に行え、枠体の大きさに関係なく衣服の着せ替えを容易に行うことができると共に、分解すればコンパクト化することができるので、旅行先へ持ち運ぶこともできる。
さらに、本発明に係る衣服用ハンガーは、意匠的に優れているので、室内でのインテリア（飾り）として使用して楽しむこともできる。
【図面の簡単な説明】
【００２４】
【図１】本発明に係る衣服用ハンガーを示す正面図である。
【図２】本発明に係る衣服用ハンガーを示す右側面図である。
【図３】本発明に係る衣服用ハンガーを構成する肩枠体を示す正面図である。
【図４】本発明に係る衣服用ハンガーを構成する肩枠体が備える立体化手段の動きを説明する部分拡大図である。
【図５】本発明に係る衣服用ハンガーを構成する肩枠体が備える長さ調節手段の動きを説明する正面図である。
【図６】本発明に係る衣服用ハンガーを構成する胴枠体を示す正面図である。
【図７】本発明に係る衣服用ハンガーを構成する胴枠体が備える立体化手段と長さ調節手段の動きを説明する正面図である。
【図８】本発明に係る衣服用ハンガーを構成する腕枠体を示す正面図である。
【図９】本発明に係る衣服用ハンガーを構成する腕枠体が備える立体化手段と長さ調節手段の動きを説明する正面図である。
【図１０】本発明に係る衣服用ハンガーを構成する脚枠体を示す正面図である。
【図１１】本発明に係る衣服用ハンガーを構成する脚枠体が備える立体化手段と長さ調節手段の動きを説明する正面図である。
【図１２】本発明に係る衣服用ハンガーを構成するジョイントを示す（Ａ）側面図、（Ｂ）ジョイントが備える第一の動きを説明する側面図、（Ｃ）ジョイントが備える第二の動きを説明する斜視図である。
【図１３】本発明に係る衣服用ハンガーを構成する枠体に対するジョイントの着脱方法を示す（Ａ）取り付け前の側面模式図、（Ｂ）取り付け後の側面模式図である。
【図１４】本発明に係る衣服用ハンガーを組み立てる状態の展開図である。
【図１５】本発明に係る衣服用ハンガーに衣服を着せた状態を模式的に示す正面図である。
【図１６】本発明に係る衣服用ハンガーに衣服を着せた状態を模式的に示す右側面図である。
【発明を実施するための形態】
【００２５】
以下、本発明に係る衣服用ハンガーの実施の形態の一例として、全身人型をした衣服用ハンガーとした場合について、図面に基づき説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２６】
図１及び２に示すように、本実施の形態における衣服用ハンガー１０は、頭枠体１Ｈと、肩枠体１Ｓと、胴枠体１Ｂと、一対の腕枠体１Ａ，１Ａと、一対の脚枠体１Ｌ，１Ｌを備え、各枠体１Ｈ，１Ｓ，１Ｂ，１Ａ，１Ａ，１Ｌ，１Ｌは、全身人型を模すようにジョイント２によって組み合わされたものとなっている。
【００２７】
すなわち、本衣服用ハンガー１０は、頭部、肩部、胴部、腕部、足部の各パーツから構成された全身人型をしたものであって、各パーツ（枠体）は、着脱自在なジョイント２によって装着(組み立て)・分離(取り外し)が可能なものになっている。特に、肩部のパーツを備えることで、よりリアリティ感のある着こなしが確認できるものなっている。
【００２８】
各枠体は、断面形状円形をした棒状部材や中空管状部材によって模られた平面枠状体であって、タモ材やビーチ（ブナ）材等の木製、ポリプロピレンや発泡ポリスチレン等の合成樹脂製、アルミニウムやステンレス等の金属製、等任意の材料を用いて成形することができる。特に、金属製パイプ等を用いたハンガーは、軽量かつ丈夫であり、日光や水分で劣化しにくいので望ましい。
【００２９】
頭枠体１Ｈは、肩枠体１Ｓの上方に配される頭部を模った枠状平面構成部材である。頭枠体１Ｈの形状及び大きさは任意であり、たとえば、断面形状が円形をした直径５ｍｍ前後の金属製パイプを用いて、幅１６０ｍｍ、高さ２１０ｍｍの大きさをした縦長円形状をしたものとすることができる。
この頭枠体１Ｈは、帽子やウィッグ等を被せることができるものとなっている。
【００３０】
肩枠体１Ｓは、従来の本衣服用ハンガーのように肩部を模った枠状平面構成部材である。肩枠体１Ｓの形状及び大きさも任意であり、たとえば、断面形状が円形をした直径１０ｍｍ前後の金属製パイプを用いて、幅３５０ｍｍ〜４７０ｍｍ、高さ１００ｍｍ〜１５０ｍｍの大きさをした略横長楕円形状をしたものとすることができる。
この肩枠体１Ｓには、トップスやアウターウェア等を着せるように掛けることができるものとなっている。また、ネックレス等の装飾品を併せて装着するようにしても良い。
【００３１】
図３において肩枠体１Ｓは、断面形状円形をした中空管状部材１１によって成形された略横長略楕円形状をした枠状体であって、上辺中央部が部分的に外側へ拡張すると共に、上辺左右端部が下辺左右端部に比してなだらかな弧を描く略凸型形状をしたものとして示されている。
【００３２】
また、肩枠体１Ｓは、図４において矢印線で示すように、幅方向に伸縮可能な長さ調節手段を備えている。長さ調節手段としては、たとえば、肩枠体１Ｓを成形するために用いられる中空管状部材１１を、不動部１１ａと可動部１１ｂから構成されるものとし、これらの端部同士を入れ子状に組み合わせて、中空管状部材１１の可動部１１ｂが中空管状部材１１の不動部１１ａに対して摺動可能なものとすることができる。
【００３３】
具体的には、たとえば、中空管状部材１１の不動部１１ａにおける断面の大きさを直径７ｍｍとした場合、中空管状部材１１の可動部１１ｂにおける断面の大きさを直径８ｍｍとし、不動部１１ａの端部に可動部１１ｂの端部を被せるように組み合わせ、幅方向への伸縮を可能なものとすることで肩枠体１Ｓを成形する。
【００３４】
また、中空管状部材１１の不動部１１ａや可動部１１ｂの長さは任意である。ゆえに、たとえば、中空管状部材１１の不動部１１ａと可動部１１ｂとを組み合わせて成形した肩枠体１Ｓの拡幅前の大きさが３５０ｍｍであるとした場合、図中点線で示すように、左右の可動部１１ｂ，１１ｂをそれぞれ外方へ突出するようにスライドさせることで、最大４７０ｍｍの大きさまで拡幅の調整が可能となるものとすることができる。この際、左右の可動部１１ｂ，１１ｂはそれぞれ６０ｍｍ移動したものとなる。
なお、肩枠体１Ｓの幅を縮める場合は、左右の可動部１１ｂ，１１ｂをそれぞれ内方へ引っ込めるようにスライドさせればよい。
【００３５】
これにより、使用時には肩幅方向に中空管状部材１１の可動部１１ｂをスライドして突出させ、肩枠体１Ｓの幅を任意の長さに拡げて調整することができると共に、収納時には、使用時と逆方向に中空管状部材１１の可動部１１ｂをスライドして引っ込めれば、肩枠体１Ｓの幅を最小の長さまで縮めることができる。
【００３６】
さらに、肩枠体１Ｓは、図５に示すように、起伏可能な立体化手段を備えている。立体化手段としては、たとえば、肩枠体１Ｓの枠内に平面部材１２を配すると共に、この平面部材１２が中空管状部材１１に対して回転起伏するようにジョイント１５を用いて取り付けるものとする。このように肩枠体１Ｓに対して回転起伏するように取り付けられた平面部材（以下、「回転起伏部材」という。）１２は、肩枠体１Ｓに取り付けられたジョイント１５を支点として枠内において回動することで、肩枠体１Ｓの平面方向と同じ向き（すなわち、倒伏状態）となったり、肩枠体１Ｓの平面方向と直交する向き（すなわち、起立状態）となったりするものとなる。
【００３７】
図５において回転起伏部材１２は、円形をした環状部材として示され、その上部がジョイント１５を介して中空管状部材１１の上辺に取り付けられると共に、下部が他のジョイント１５を介して中空管状部材１１の下辺に取り付けられることで、図５において矢印線で示すように、水平（横）方向に３６０°回動自在なものとして示されている。ゆえに、回転起伏部材１２は、肩枠体１Ｓの平面方向に対して９０°起伏することができるものとなっている。
【００３８】
なお、肩枠体１Ｓは、材料がむき出しの状態であると、表面がつるつるしていて衣服との摩擦が少なく滑り落ちてしまうおそれがある。ゆえに、肩枠体１Ｓの表面には、滑り止め用のゴムゴーティングを施すようにしても良い。
【００３９】
胴枠体１Ｂは、肩枠体１Ｓの下方に配される胴部を模った枠状平面構成部材である。胴枠体１Ｂの形状及び大きさも肩枠体１Ｓと同様に任意であり、たとえば、断面形状が円形をした直径１０ｍｍ前後の金属製パイプを用いて、幅２５０ｍｍ、高さ３５０ｍｍ〜４００ｍｍの大きさをし、角部が丸みを帯びた略縦長矩形状をしたものとすることができる。
この胴枠体１Ｂは、肩枠体１Ｓに着せるように掛けたトップスやアウターウェア等によって覆われるものとなっている。
【００４０】
図６において胴枠体１Ｂは、断面形状円形をした中空管状部材１１によって成形された略縦長矩形状を基本とした枠状体であって、左辺及び右辺における高さ方向の中央からやや下方が内側へ「く」字状に曲折した括れ部を備えるものとして示されている。
また、胴枠体１Ｂの下方には、パンツやスカートなどのボトムスを吊り下げることができる挟持具（クリップ）１４が一対設けられたものとなっている。
【００４１】
また、胴枠体１Ｂは、図７において矢印直線で示すように、高さ方向に伸縮可能な長さ調節手段を備えている。長さ調節手段としては、肩枠体１と同様に、たとえば、胴枠体１Ｂを成形するために用いられる中空管状部材１１を、不動部１１ａと可動部１１ｂから構成されるものとする。そして、これら不動部１１ａと可動部１１ｂの端部同士を入れ子状に組み合わせて、中空管状部材１１の可動部１１ｂが中空管状部材１１の不動部１１ａに対して摺動可能なものとし、高さ方向への伸縮を可能なものとすることができる。
【００４２】
また、中空管状部材１１の不動部１１ａや可動部１１ｂの長さも任意であるため、たとえば、中空管状部材１１の不動部１１ａと可動部１１ｂとを組み合わせて成形した胴枠体１Ｂの伸長前の高さが３５０ｍｍであるとした場合、図中点線で示すように、可動部１１ｂを上方へ伸長するようにスライドさせることで、最大４００ｍｍの高さまで調整が可能となるものとすることができる。この際、可動部１１ｂは５０ｍｍ移動したものとなる。
【００４３】
これにより、使用時には高さ方向に中空管状部材１１の可動部１１ｂをスライドして伸長させ、胴枠体１Ｂの高さを任意の高さに伸ばして調整することができると共に、収納時には、使用時と逆方向に中空管状部材１１の可動部１１ｂをスライドして引き下げれば、胴枠体１Ｂの高さを最小の長さまで縮めることができる。
【００４４】
さらに、胴枠体１Ｂは、図７において矢印曲線で示すように、起伏可能な立体化手段を備えている。立体化手段もまた、肩枠体１Ｓと同様に、たとえば、胴枠体１Ｂの枠内に平面部材１３を配すると共に、この平面部材１３が中空管状部材１１に対して回動起伏するようにジョイント１５を用いて取り付けるものとすることができる。胴枠体１Ｂに対して回転起伏するように取り付けられた平面部材（以下、「回転起伏部材」という。）１３は、胴枠体１Ｂに取り付けられたジョイント１５を支点として枠内において回動することで、胴枠体１Ｂの平面方向と同じ向き（すなわち、倒伏状態）となったり、胴枠体１Ｂの平面方向と直交する向き（すなわち、起立状態）となったりするものとなる。
【００４５】
図７において回転起伏部材１３は、中央が括れた横長略楕円形をした環状部材として示され、その右部がジョイント１５を介して中空管状部材１１の右辺に取り付けられると共に、左部が他のジョイント１５を介して中空管状部材１１の左辺に取り付けられることで、図７において矢印曲線で示すように、垂直（縦）方向に３６０°回動自在なものとして示されている。ゆえに、回転起伏部材１３は、胴枠体１Ｂの平面方向に対して９０°起伏することができるものとなっている。
【００４６】
腕枠体１Ａは、肩枠体１Ｓの下方であって、かつ、胴枠体１Ｂの左右両側部に配される左右の各腕部を模った一対の枠状平面構成部材である。腕枠体１Ａの形状及び大きさも任意であり、たとえば、断面形状が円形をした直径１０ｍｍ前後の金属製パイプを用いて、幅８５ｍｍ、長さ２６０ｍｍ〜３８０ｍｍの大きさをした縦長楕円形状をしたものとすることができる。
この腕枠体１Ａは、肩枠体１Ｓに着せるように掛けたトップスやアウターウェア等の腕部をそれぞれ挿通することによって覆われるものとなっている。
【００４７】
図８において腕枠体１Ａは、断面形状円形をした中空管状部材１１によって成形された縦長楕円形状をした枠状体として示されている。
【００４８】
また、腕枠体１Ａは、図９において矢印直線で示すように、長さ方向に伸縮可能な長さ調節手段を備えている。長さ調節手段としては、たとえば、腕枠体１Ａを成形するために用いられる中空管状部材１１を、不動部１１ａと可動部１１ｂから構成されるものとし、これら不動部１１ａと可動部１１ｂの端部同士を入れ子状に組み合わせて、中空管状部材１１の可動部１１ｂが中空管状部材１１の不動部１１ａに対して摺動可能なものとし、長さ方向への伸縮を可能なものとすることができる。
【００４９】
また、中空管状部材１１の不動部１１ａや可動部１１ｂの長さも任意であるため、たとえば、中空管状部材１１の不動部１１ａと可動部１１ｂとを組み合わせて成形した腕枠体１Ａの伸長前の長さが２６０ｍｍであるとした場合、図中点線で示すように、可動部１１ｂを下方へ伸長するようにスライドさせることで、最大３８０ｍｍの長さまで調整が可能となるものとすることができる。この際、可動部１１ｂは１２０ｍｍ移動したものとなる。
【００５０】
これにより、使用時には長さ方向に中空管状部材１１の可動部１１ｂをスライドして伸長させ、腕枠体１Ａの長さを任意の長さに伸ばして調整することができると共に、収納時には、使用時と逆方向に中空管状部材１１の可動部１１ｂをスライドして引っ込めれば、腕枠体１Ａの長さを最小の長さまで縮めることができる。
【００５１】
さらに、腕枠体１Ａは、図９において矢印曲線で示すように、起伏可能な立体化手段を備えている。立体化手段としては、たとえば、腕枠体１Ａの枠内に、中空管状部材１１に対して回転起伏するように、ジョイント１５を用いて回転起伏部材１２を取り付けるものとする。腕枠体１Ａに対して回転起伏するように取り付けられた回転起伏部材１２もまた、腕枠体１Ａに取り付けられたジョイント１５を支点として枠内において回動することで、腕枠体１Ａの平面方向と同じ向きとなったり、腕枠体１Ａの平面方向と直交する向きとなったりするものとなる。
【００５２】
図９において回転起伏部材１２は、円形をした環状部材として示され、その右部がジョイント１５を介して中空管状部材１１の右辺に取り付けられると共に、左部が他のジョイント１５を介して中空管状部材１１の左辺に取り付けられることで、図９において矢印曲線で示すように、垂直（縦）方向に３６０°回動自在なものとして示されている。ゆえに、回転起伏部材１２は、腕枠体１Ａの平面方向に対して９０°起伏することができるものとなっている。また、図９において回転起伏部材１２は、長さ方向に２つ配されたものとして示されている。
【００５３】
脚枠体１Ｌは、胴枠体１Ｂの下方左右に配される左右の各脚部を模った一対の枠状平面構成部材である。脚枠体１Ｌの形状及び大きさも任意であり、たとえば、断面形状が円形をした直径１０ｍｍ前後の金属製パイプを用いて、幅１２０ｍｍ、長さ４９０ｍｍ〜６５０ｍｍの大きさをした縦長楕円形状をしたものとすることができる。
この脚枠体１Ｌは、胴枠体１Ｂに設けた挟持具１４にボトムスを吊り下げることによって覆われるものとなっている。
【００５４】
図１０において脚枠体１Ｌは、断面形状円形をした中空管状部材１１によって成形された、腕枠体１Ａと同様の縦長楕円形状をした枠状体として示されている。
【００５５】
また、脚枠体１Ｌは、図１１において矢印直線で示すように、長さ方向に伸縮可能な長さ調節手段を備えている。長さ調節手段としては、たとえば、脚枠体１Ｌを成形するために用いられる中空管状部材１１を、不動部１１ａと可動部１１ｂから構成されるものとし、これら不動部１１ａと可動部１１ｂの端部同士を入れ子状に組み合わせて、中空管状部材１１の可動部１１ｂが中空管状部材１１の不動部１１ａに対して摺動可能なものとし、長さ方向への伸縮を可能なものとすることができる。
【００５６】
また、中空管状部材１１の不動部１１ａや可動部１１ｂの長さも任意であるため、たとえば、中空管状部材１１の不動部１１ａと可動部１１ｂとを組み合わせて成形した脚枠体１Ｌの伸長前の長さが４９０ｍｍであるとした場合、図中点線で示すように、可動部１１ｂを下方へ伸長するようにスライドさせることで、最大６５０ｍｍの長さまで調整が可能となるものとすることができる。この際、可動部１１ｂは１６０ｍｍ移動したものとなる。
【００５７】
これにより、使用時には長さ方向に中空管状部材１１の可動部１１ｂをスライドして伸長させ、脚枠体１Ｌの長さを任意の長さに伸ばして調整することができると共に、収納時には、使用時と逆方向に中空管状部材１１の可動部１１ｂをスライドして引っ込めれば、脚枠体１Ｌの長さを最小の長さまで縮めることができる。
【００５８】
さらに、脚枠体１Ｌは、図１１において矢印曲線で示すように、起伏可能な立体化手段を備えている。立体化手段としては、たとえば、脚枠体１Ｌの枠内に、中空管状部材１１に対して回転起伏するように、ジョイント１５を用いて回転起伏部材１２を取り付けるものとする。脚枠体１Ｌに対して回転起伏するように取り付けられた回転起伏部材１２もまた、脚枠体１Ｌに取り付けられたジョイント１５を支点として枠内において回動することで、脚枠体１Ｌの平面方向と同じ向き（すなわち、倒伏状態）となったり、脚枠体１Ｌの平面方向と直交する向き（すなわち、起立状態）となったりするものとなる。
【００５９】
図１１において回転起伏部材１２は、円形をした環状部材として示され、その右部がジョイント１５を介して中空管状部材１１の右辺に取り付けられると共に、左部が他のジョイント１５を介して中空管状部材１１の左辺に取り付けられることで、図１１において矢印曲線で示すように、垂直（縦）方向に３６０°回動自在なものとして示されている。ゆえに、回転起伏部材１２は、脚枠体１Ｌの平面方向に対して９０°起伏することができるものとなっている。また、図１１において回転起伏部材１２は、長さ方向に３つ配されたものとして示されている。
【００６０】
ジョイント２は、枠体に対して径方向から差し込むことで、工具を用いることなく容易に装着することができる結合部材であって、図１２に示すように、枠体を構成する中空管状部材１１を径方向から保持することができる二つの保持部２１，２１が互いに離反する向きに配され、接続球部２３を介して可動自在に連結されたものとなっている。すなわち、ジョイント２は、保持部２１の基端側外面に設けたくびれ部（図示せず）内に接続球部２３をそれぞれ配することで、互いに分離しないように一体的に組み合わされた構成となっている。
【００６１】
保持部２１は、断面形状円形をした中空管状部材１１の外周面に沿った形状をし、その一部に中空管状部材１１の軸線方向に延びるスリット２２が形成されることで断面略Ｃ字状に形成され、互いに対向して円弧状に延びる一対の保持片２１ａ，２１ａを備えるものとなっている。
【００６２】
すなわち、両保持片２１ａ，２１ａは円弧状を描き、基端側から先端側へ向かうにつれて一旦は互いに遠ざかる方向へ延び、凡そ中間部あたりからは互いに近づく方向へ延びる形状となっている。これにより、保持部２１は輪の一部を切り欠いたような断面略Ｃ字形状とされ、一対の保持片２１ａ，２１ａの間に略円筒形をした空間２５を形成するようになっている。
【００６３】
また、スリット２２を挟んで両側に備える保持片の各先端には、外方に向かって反った傾斜面となる受け部２４，２４がそれぞれ形成されている。これにより、中空管状部材１１が保持部２１の空間２５内に誘導され易く、枠体への取り付け作業を容易に行うことができる。ゆえに、ジョイント２は、枠体を構成する中空管状部材１１に対して径方向からの着脱が可能なように連結されている。
【００６４】
この保持部２１は、合成樹脂や硬質ゴム等の材料によってそれぞれ成形されたものであり、たとえば、ＡＡＳ樹脂やＡＥＳ樹脂、ポリカーボネート樹脂、ウレタン樹脂、ポリエステル樹脂、ポリアミド樹脂等の材料を単独で、もしくはこれらを適宜組み合わせて用いることができる。
【００６５】
また、ジョイント２は、二つの保持部２１，２１が、接続球部２３を介して可動自在に連結されたものとなっていることから、図１２（Ｂ）において矢印曲線で示すように、前後（もしくは左右）方向に可動すると共に、図１２（Ｃ）において矢印曲線で示すように、水平方向に可動するものとなっている。
このようなジョイント２は、たとえば、園芸用の支柱を連結保持する際に用いる、いわゆるボールジョイントと同様の構成をしたものとすることができる。
【００６６】
そして、枠体を構成する中空管状部材１１にジョイント２を取り付ける場合は、ジョイント２のスリット２２を中空管状部材１１側に向けた後、受け部２４，２４を中空管状部材１１に当てがい、図１３（Ａ）において白抜き矢印で示すように、ジョイント２を中空管状部材１１に向かって押しつけながら圧入する。そうすると、保持部２１を構成する一対の保持片２１ａ，２１ａに適度な力が加わり、この保持片２１ａ，２１ａは中空管状部材１１の外周面を押圧しながら外周面に沿って弾性的に変形し、スリット２２の間隔が徐々に拡がるものとなる。
【００６７】
そして、圧入し終えると、一対の保持片２１ａ，２１ａは中空管状部材１１の外周面を押圧しながら外周面に沿って元の状態に戻ることで、図１３（Ｂ）に示すように、中空管状部材１１は空間２５内に誘導されるものとなる。これにより、中空管状部材１１は、ジョイント２の保持部２１に安定的に保持されるものとなる。
【００６８】
したがって、全身人型をした本衣服用ハンガー１０は、肩枠体１Ｈと、肩枠体１Ｈの上方に配した頭枠体１Ａと、肩枠体１Ｓの下方に配した胴枠体１Ｂと、肩枠体１Ｓの下方であって、かつ、胴枠体１Ｂの左右両側部にそれぞれ配した左右の腕枠体１Ａ，１Ａと、胴枠体１Ｂの下方左右にそれぞれ配した左右の脚枠体１Ｌ，１Ｌを、ジョイント２を用いてそれぞれ連結することで平面的に組み合わせることができる。
【００６９】
一方、中空管状部材１１からジョイント２を取り外す場合は、図１３（Ｂ）において白抜き矢印で示すように、ジョイント２を引き抜く。そうすると、保持部２１を構成する一対の保持片２１ａ，２１ａに適度な力が加わって弾性的に変形し、この保持片２１ａ，２１ａは中空管状部材１１の外周面を押圧しながら外周面に沿って弾性的に変形し、スリット２２の間隔が徐々に拡がるものとなる。その後、一対の保持片２１ａ，２１ａは元の状態に戻ることで、図１３（Ａ）に示すように、中空管状部材１１は空間２５内から離脱されるものとなる。
なお、中空管状部材１１に連結支持された状態のジョイント２は、中空管状部材１１の長手方向に沿って摺動可能なものとなっている。
【００７０】
また、本衣服用ハンガー１０は、支持装置をさらに備えるものとなっている。支持装置は、たとえば、枠体を吊り下げる支柱３１と、この支柱３１を起立状態に支持する土台３２と、支柱３１の上端に設けられたフック３３とから構成されたものとすることができる。
支柱３１は、中空管状部材からなる上部支柱１ａと下部支柱１ｂとで構成されると共に、上部支柱１ａと下部支柱１ｂの端部同士が互いに入れ子状に組み合わされて、高さ調整が可能なものとなっている。
【００７１】
すなわち、支柱３１は、上部支柱１ａの内部に下部支柱１ｂが収容されて摺動自在なものとなっており、上部支柱１ａに設けた高さ調整レバー３４を操作することで、下部支柱１ｂに設けた複数の高さ調整穴３５・・３５の何れかよりストッパ３６が突出して係合することで、支柱３１の高さを調整することができるものとなっている。具体的には、高さ調整レバー３４を押し込むと、ストッパ３６が高さ調整穴３５から引っ込み、好みの高さで高さ調整レバー３４の押し込みを解除すると、ストッパ３６が高さ調整穴３５から突出して係合し、固定されるものとなる。
【００７２】
したがって、本衣服用ハンガー１０を組み立てる場合、たとえば、図１４に示すように行うことができる。
すなわち、まず、支柱３１の上端に設けたフック３３，３３に肩枠体１Ｓを吊り下げる。次いで、肩枠体１Ｓの中央上方にジョイント２を用いて頭枠体１Ｈを接続した後、肩枠体１Ｓの下方にジョイント２を用いて胴枠体１Ｂを接続すると共に、肩枠体１Ｓの下方であって、かつ、胴枠体１Ｂの左右両側部にジョイント２を用いて一対の腕枠体１Ａ，１Ａをそれぞれ接続する。さらに、胴枠体１Ｂの下方左右にジョイント２を用いて一対の脚枠体１Ｌ，１Ｌをそれぞれ接続する。
これにより、全身人型に組み上げられた本衣服用ハンガー１０は、起立状態に吊り下げられたものとなる。
【００７３】
その後、自分の身体の大きさに合わせて、肩枠体１Ｓの幅を拡げたり、胴枠体１Ｂの長さを伸ばしたり、腕枠体１Ａや脚枠体１Ｌの長さを伸ばしたりして、大きさを適宜調整する。
なお、ジョイント２を用いた枠体同士の組み合わせ順序は特に決められたものではなく、上述した順序に限らず適宜組み合わせし易い任意の順序で行うようにすれば良い。また、枠体同士を接続する際、一方の枠体に予めジョイント２を取り付け、このジョイント２の保持部２１に対して他方の枠体の中空管状部材１１を押しつけて接続するものとしても良いし、他方の枠体に予めジョイント２を取り付け、このジョイント２の保持部２１を一方の枠体の中空管状部材１１に対して押しつけて接続するものとしても良い。
【００７４】
そして、上述のように構成した衣服用ハンガー１０に衣服を着せると、図１５及び図１６に示すように、肩枠体１Ｓと胴枠体１Ｂと腕枠体１ＡがトップスＴで覆われると共に、脚枠体１ＬがボトムスＢで覆われ、さらに、トップスＴとボトムスＢが立体的に拡がりを持ったものとなる。なお、この際、トップスＴを着せるのに腕枠体１Ａが邪魔な場合は、肩枠体１Ｓから一方の腕枠体１Ａをいったん取り外し、取り外した腕枠体１ＡをトップスＴの腕部に挿通してから肩枠体１Ｓに再度接続するものとしても良い。
これにより、全身トータルコーディネートした着こなし状態を、まるで自分が着ているようなリアリティ感をもって確認することができる。
【００７５】
さらに、図示しないが、腕枠体１Ａの先端にフックなどの係止手段を設け、バッグの提げ手を引っ掛けることができるようにしても良い。これにより、頭から足元までトータルコーディネートした状態を一層リアリティ感をもって確認することができる。
【００７６】
なお、本衣服用ハンガー１０においては、立体化手段１２，１３によって衣服の内部に空気の通り道が確保されるものとなるので、洗濯した衣服を早期に乾かすことができる洗濯用ハンガーとしても用いることもできる。
【符号の説明】
【００７７】
１Ａ  腕枠体、１Ｂ  胴枠体、１Ｈ  頭枠体、１Ｌ  脚枠体、１Ｓ  肩枠体、２，１５  ジョイント、１０  衣服用ハンガー、１１  中空管状部材、１１ａ  不動部、１１ｂ  可動部（長さ調節手段）、１２，１３  回転起伏部材（立体化手段）、１４  挟持具、２１  保持部、２２  スリット、２３  接続球部、２４  受け部、３１  支柱、３２  土台、３３  フック、３４  高さ調整レバー、３５  高さ調整穴、３６  ストッパ。
【要約】
【課題】立体感のあるデザインや着こなしを確認することができると共に、工具を用いることなく簡易に組み立てることができ、しかも衣服の着せ替えが容易に行える衣服用ハンガーを提供する。
【解決手段】本発明の衣服用ハンガー１０は、複数の枠体１と、この枠体に対して着脱自在な複数のジョイント２とから構成されたものである。枠体１は、人型を模すように、たとえば、頭部を模った頭枠体１Ｈと、肩部を模った肩枠体１Ｓと、胴部を模った胴枠体１Ｂと、左右の各腕部を模った一対の腕枠体１Ａと、左右の各脚部を模った一対の脚枠体１Ｌとが、ジョイントによって平面的に組み合わされたものとなっている。また、枠体は、伸縮可能な長さ調節手段や、起伏可能な立体化手段１２，１３を備えている。
【選択図】図１【図１】
0006836810.tif 000002
【図２】
0006836810.tif 000003
【図３】
0006836810.tif 000004
【図４】
0006836810.tif 000005
【図５】
0006836810.tif 000006
【図６】
0006836810.tif 000007
【図７】
0006836810.tif 000008
【図８】
0006836810.tif 000009
【図９】
0006836810.tif 000010
【図１０】
0006836810.tif 000011
【図１１】
0006836810.tif 000012
【図１２】
0006836810.tif 000013
【図１３】
0006836810.tif 000014
【図１４】
0006836810.tif 000015
【図１５】
0006836810.tif 000016
【図１６】
0006836810.tif 000017